(57)【要約】      （修正有）【課題】昇降機の制動装置に、停止制動時にカゴの滑りが発生した時に検出をし、カゴの滑りを数十センチ以内に拘束し停止させ、人身の挟まれ事故を防止する、クサビ形噛込制動装置を提供する。【解決手段】昇降機制動装置の停止制動時のカゴの滑り発生を検出し、クサビ形噛込制動装置の固定側１に設けた噛込突起１Ａと、回転体側２に設けた噛込突起２Ａとを、噛合わせることで、カゴの滑りを、数十センチ以内に拘束し停止させ、人身挟まれ事故を防ぐ。【選択図】図３
0003186045.tif 000002
【実用新案登録請求の範囲】
【請求項１】
エレベーターの制動装置にクサビ形噛込制動装置を設け、停止時のカゴの滑りをカゴの滑り検出装置により検出し、クサビ形噛込制動装置に伝達し、片方固定側の噛込突起と、回転体側の噛込突起とを、噛合わせる事で、回転体が拘束され、停止する事により、カゴの滑りを数十センチ以内に停止させる事や、カゴが滑る時には、カゴの扉を開けない事を特徴とする、クサビ形噛込制動装置
【考案の詳細な説明】
【技術分野】
【０００１】  本考案は昇降機、エレベーターの制動部、ブレーキに、クサビ形噛込制動装置、ブレーキを設けた、昇降機に関するものである
【背景技術】
【０００２】  ビルや、高層建物等に設置されてる、エレベータは利用者が自由に、安全に、呼び寄せ自由な階に、迅速に移動してるが、旧型式は最近や以前にも、呼び寄せたエレベータが、入り口の扉が開き、乗り込むカゴが、安全に停止している状態に利用者に見え、乗り込もうとした時に、カゴがブレーキの滑りで完全には停止せずに除所に動いてるため、カゴの床の下部堅牢な枠につまずき、カゴ内に倒れ込み、動いてるカゴの床下部の堅牢な枠と建物の堅牢な構造物枠との間に身体を挟まれながらも、カゴが滑り停止せず動くために、人身事故に至ったと推測されるが、現状では定期的にメンテナンスで、摩擦材の磨耗の程度を安全な規定数値内に維持する事を義務化している、最近は２重安全方式で、主ワイヤーを摩擦ブレーキにより、カゴの滑りを防止してるが、カゴの滑り発生は検知されていない
【考案の概要】
【考案が解決しようとする課題】
【０００３】  現在のエレベータのブレーキは主として、電動機と直結されてる減速機との間にあり一緒に回転する円筒形の回転部の外周を、ブレーキ装置の２枚の半円形の内側に設置された、摩擦材をバネ等の、力により圧力をかけ摩擦力により減速させ停止させる方式であるが、使用頻度により摩擦材は磨り減り磨耗する傾向があり、磨耗は摩擦力の低下に至る恐れが有り時には、バランスウエートより軽い、空のカゴはバランスウエート側に引かれ、停止位置信号により停止位置で、カゴの扉が開いても、カゴが完全に停止できず、カゴが滑る可能性が有る
【課題を解決するための手段】
【０００４】  本考案は摩擦材の磨り減り磨耗で、摩擦力の低下でカゴの滑りが発生した時でも、カゴの滑りを安全な数十センチ以内に停止させる為にブレーキ装置の円筒形の回転部と停止させる為の片側を固定された２枚の半円形の内側との間に、クサビ形噛込制動装置を設置するものであり、このクサビ形噛込制動装置は、クサビ形噛込制動装置とカゴの滑り検出装置が一体で連動で回転し、カゴの滑り発生信号による連動制御により、カゴの滑りを数十センチ以内に完全に停止させる事が可能となる、
【考案の効果】
【０００５】  上述の様に本考案の、クサビ形噛込制動装置の設置により従来の摩擦ブレーキにより、カゴの減速停止時のブレーキ回転体の滑り発生を、カゴの滑り検出装置により検出したカゴの滑りを電気信号として、クサビ形噛込制動装置の電気制御系に伝達し片方固定側の噛込突起と、回転体側の噛込突起が、電気制御信号の指令に依り、作動し噛込合うことでカゴの滑りを数十センチ以内に完全に停止させる事で、人体を挟まれる重大事故を防ぐものである
【図面の簡単な説明】
【０００６】
【図１】エレベーター装置の全体の略図である
【図２】本考案のクサビ形噛込制動装置の不作動時のカゴ作動運転状態を示す略断図である
【図３】本考案のクサビ形噛込制動装置の作動時のカゴ拘束停止状態を示す略断面図である
【図４】本考案のクサビ形噛込制動装置の特長の噛込突起を１部拡大表示した略図です
【図５】本考案のクサビ形噛込制動装置と連動する、カゴの滑り検出装置と摩擦制動装置の１体組込状態を示す図である
【図６】本考案のカゴの滑り検出装置を示す図である
【図７】従来の摩擦形制動装置の不作動時のカゴ作動運転状態を示す略断面図である
【図８】従来の摩擦形制動装置の作動時のカゴの摩擦停止状態を示す略断面図である
【考案を実施するための形態】
【０００７】  この動作方法はエレベータが停止階に接近した信号と到着した信号で主電動機に減速信号を出し更に停止信号を出しで主電動機が減速しながら停止した信号の時に、本考案のカゴの滑り検出装置により、カゴの滑り計測信号が作動してるか、計測信号が作動していないか、がカゴの滑りの有、無を確実に示すもので、カゴの滑り値検出用の数値設定値がカゴの滑りの数値に合致するので、カゴの滑り値として、安全値として自由に設定可能で有り、カゴが到着してもカゴの扉を安全として開ける事も、カゴの扉を安全率が低いとして開けない事も、自由に数値設定が可能です、このカゴの滑りの数値設定で、カゴの滑りが有りと判定した電気信号を電気制御系に、フイードバックし、クサビ形噛込制動装置を作動させ、片方固定側の噛込突起と回転部側の噛込突起とが、噛み合いすることで、クサビ形噛込制動装置を噛み込ませカゴの滑りを数十センチ以内に停止させる、本考案は旧型式エレベータでも新型エレベータでも、改造等の設置で、最終的にはカゴの全長約２メイートルに対しカゴの滑り値を検出し、万が一、カゴの滑りが発生したとしても、カゴの滑りを数十センチ以内に停止が可能であり、人体が挟まれる人身事故を完全に防ぐものであるが、その前段として、カゴの滑り発生時にはカゴの扉を開けない機能設定も可能であり、この機能使用で利用者が滑るカゴに乗る事がないので人身事故が発生しない事になる、更にこの機能は外部に報知可能であり，之によりメンテナンスや救出等の要請も可能である
【実施例】
【０００８】  以下、添付図面に従って一実施例を説明する、図１はエレベータ全体の構築略図を示す、一般的には運転指令により、主電動機１０が、制動装置１１を通じて、減速機１２で、減速され、主滑車１３と主ロープ１７を通じて、カゴ１６を、駆動し、同時に、副滑車１４を通じて、バランス、ウエート１５も、駆動され、カゴとバランスウエートが上昇や停止、下降や停止等で指定階への運転が、制御指令や図７と図８の従来形摩擦形制動装置により行われる【０００９】  一般的には、カゴが指定階に接近し到着すると、主電動機１０が、減速し、次に図８の従来形摩擦形制動装置により停止するが、使用頻度に依り、摩擦材の磨耗が進行し、時には、完全停止が出来ず、連動する、カゴが、滑る事がある、【００１０】  この時に本考案の、図３のクサビ形噛込制動装置が作動し、カゴの滑り検出装置図５のＡの磁気センサーＢとＣ，図６のカゴの滑り検出装置の磁気センサーＢとＣが、停止中のカゴが、滑ってると、判定し滑り信号が発信されると、図３の制動拘束解除作動電磁弁４が、作動し、次に、制動拘束作動電磁弁３が、作動し、片方固定側枠１が、加圧され、回転体側枠２に、接近し、数十秒後に、片方固定側噛込突起１Ａと、回転体側噛込突起２Ａが、噛合う事により、回転体の滑り回転が、拘束されて、カゴの滑りが、数十センチ以内の滑りで停止する、【００１１】  更に本考案は、カゴの滑り検出装置図５の、Ａの磁気センサーＢとＣ，図６のＢとＣが、停止中のカゴに滑り発生信号が発生したと、判定されると、電気制御に、フイードバックされ、カゴ１６の扉を、開放しない事で、利用者が、滑るカゴ１６に、乗り込む事もない
【符号の説明】
【００１２】  １      クサビ形噛込制動装置の片方固定側の枠
１Ａ    クサビ形噛込制動装置の片方固定側の噛込突起
２      クサビ形噛込制動装置の回転体側の枠
２Ａ    クサビ形噛込制動装置の回転体側の噛込突起
３      クサビ形噛込制動装置の制動拘束作動電磁弁
４      クサビ形噛込制動装置の制動拘束解除作動電磁弁
５      駆動主軸
６      矢印方向が作動方向を示す
７      固定されてる状態の堅牢な構造物を示す
８      回転表示
８Ａ    回転停止表示
０１    摩擦形制動装置の固定側の枠
０１Ｂ  摩擦形制動装置の固定側の摩擦材
０２    摩擦形制動装置の回転体側の枠
０３    摩擦形制動装置の制動作動電磁弁
Ａ      カゴの滑り検出装置の回転枠
Ｂ      カゴの滑り検出装置のカゴ停止時の回転体の滑り回転作動を検出する磁気セン          サー
Ｃ      カゴの滑り検出装置の回転体の回転作動時の回転する鉄片
【図１】
0003186045.tif 000003
【図２】
0003186045.tif 000004
【図３】
0003186045.tif 000005
【図４】
0003186045.tif 000006
【図５】
0003186045.tif 000007
【図６】
0003186045.tif 000008
【図７】
0003186045.tif 000009
【図８】
0003186045.tif 000010
【手続補正書】
【提出日】平成25年6月13日(2013.6.13)
【手続補正１】
【補正対象書類名】明細書
【補正対象項目名】０００１
【補正方法】変更
【補正の内容】
【０００１】    本考案は昇降機、エレベータの制動部、ブレーキに、クサビ形噛込制動装置と、カゴの滑り検出装置とを組み合わせて、電気制御で応用する、昇降機に関するものである
【手続補正２】
【補正対象書類名】実用新案登録請求の範囲
【補正対象項目名】全文
【補正方法】変更
【補正の内容】
【実用新案登録請求の範囲】
【請求項１】
エレベータの制動装置にクサビ形噛込制動装置を設け、停止時のカゴの滑りをカゴの滑り検出装置により検出し、クサビ形噛込制動装置に伝達し、片方固定側の噛込突起と、回転体側の噛込突起とを、噛合わせる事で、回転体が拘束され、停止する事により、カゴの滑りを数十センチ以内に停止させる事を特徴とする、クサビ形噛込制動装置